(57)【要約】【課題】スケーリング倍率を適切に設定する。【解決手段】画像処理装置１０は、表示情報取得部３３と、距離推定部３４と、倍率設定部３５を備える。表示情報取得部３３は、第１の表示情報を取得する。第１の表示情報は、第１のスケーリング画像データに基づいて第１のスケーリング画像を表示する第１の表示部に関する情報である。距離推定部３４は、第１の距離を推定する。第１の距離は、第１の表示部に表示された第１のスケーリング画像を観察する第１の観察者と第１の表示部との間の距離である。倍率設定部３５は、少なくとも、第１の表示情報と第１の距離に基づいて、画像データから第１のスケーリング画像データを生成するときのスケーリング処理で使用されるスケーリング倍率を設定する。【選択図】図２
2019146051.tif 000002
【特許請求の範囲】
【請求項１】
第１の表示部に関する第１の表示情報を取得する表示情報取得部であって、前記第１の表示部は、第１のスケーリング画像データに基づいて第１のスケーリング画像を表示する、という前記表示情報取得部と、
前記第１の表示部に表示された前記第１のスケーリング画像を観察する第１の観察者と前記第１の表示部との間の第１の距離を推定する距離推定部と、
少なくとも、前記表示情報取得部で取得された前記第１の表示情報と、前記距離推定部で推定された前記第１の距離と、に基づいて、スケーリング倍率を設定する倍率設定部であって、前記スケーリング倍率は、画像データから前記第１のスケーリング画像データを生成するときのスケーリング処理で使用される、という前記倍率設定部と、を備える
ことを特徴とする画像処理装置。
【請求項２】
請求項１に記載の画像処理装置において、
前記表示情報取得部は、第２の表示部に関する第２の表示情報を取得し、ここで、前記第２の表示部は、前記画像データから生成された前記第２のスケーリング画像データに基づいて第２のスケーリング画像を表示し、
前記距離推定部は、前記第２の表示部に表示された前記第２のスケーリング画像を観察する第２の観察者と、前記第２の表示部と、の間の第２の距離を推定し、
前記倍率設定部は、少なくとも、前記表示情報取得部で取得された前記第１の表示情報及び前記第２の表示情報と、前記距離推定部で推定された前記第１の距離及び前記第２の距離と、に基づいて、前記スケーリング処理で使用される前記スケーリング倍率を設定する
ことを特徴とする画像処理装置。
【請求項３】
請求項１又は請求項２に記載の画像処理装置において、さらに、
前記画像データに前記スケーリング処理を行って、前記第１のスケーリング画像データを生成するスケーリング部と、を備える
ことを特徴とする画像処理装置。
【請求項４】
請求項１乃至請求項３のいずれか１項に記載の画像処理装置において、さらに、
前記画像データに含まれるノイズ量を推定するノイズ量推定部を備え、
前記倍率設定部は、前記ノイズ量推定部で推定された前記ノイズ量が小さいほど、前記スケーリング倍率を大きく設定する
ことを特徴とする画像処理装置。
【請求項５】
請求項１に記載の画像処理装置において、さらに、
前記画像データに含まれるノイズ量を推定するノイズ量推定部を備え、
前記距離推定部は、前記ノイズ量推定部で推定された前記ノイズ量が小さいほど、前記第１の距離を短く推定する
ことを特徴とする画像処理装置。
【請求項６】
請求項４又は請求項５に記載の画像処理装置において、さらに、
前記画像データの少なくとも一部に基づいて、前記画像データを代表する代表輝度を算出する輝度算出部を備え、
前記ノイズ量推定部は、少なくとも前記代表輝度に基づいて、前記ノイズ量を推定する
ことを特徴とする画像処理装置。
【請求項７】
請求項４又は請求項５に記載の画像処理装置において、さらに、
撮影部と、を備え、
前記ノイズ量推定部は、少なくとも、前記撮影部の感度設定に基づいて、前記ノイズ量を推定する
ことを特徴とする画像処理装置。
【請求項８】
請求項４又は請求項５に記載の画像処理装置において、さらに、
ノイズを付加するノイズ付加部を備え、
前記画像データは、前記ノイズ付加部によって前記ノイズが付加されたデータであり、
前記ノイズ量推定部は、少なくとも、前記ノイズ付加部が付加した前記ノイズの付加量に基づいて、前記ノイズ量を推定する
ことを特徴とする画像処理装置。
【請求項９】
請求項１に記載の画像処理装置において、
前記第１の表示情報は、前記第１の表示部が有する表示領域の大きさを含み、
前記距離推定部は、前記表示領域の大きさが小さいほど、前記第１の距離を短く推定する
ことを特徴とする画像処理装置。
【請求項１０】
請求項１に記載の画像処理装置において、
前記第１の表示情報は、前記第１の表示部が有する解像度を含み、
前記距離推定部は、前記解像度が高いほど、前記第１の距離を短く推定する
ことを特徴とする画像処理装置。
【請求項１１】
請求項１に記載の画像処理装置において、
前記第１の表示情報は、前記第１の表示部が有する表示領域の大きさと、前記第１の表示部が有する解像度と、を含み、
前記距離推定部は、前記解像度と前記表示領域の大きさとに基づいて、前記第１の距離を推定する
ことを特徴とする画像処理装置。
【請求項１２】
請求項１乃至請求項１１のいずれか１項に記載の画像処理装置において、さらに、
前記第１の表示部を備える
ことを特徴とする画像処理装置。
【請求項１３】
請求項１２に記載の画像処理装置において、さらに、
第３のスケーリング画像データに基づいて第３のスケーリング画像を表示する第３の表示部を備え、
前記表示情報取得部は、前記第３の表示部に関する第３の表示情報を取得し、
前記距離推定部は、前記第３の表示部に表示された前記第３のスケーリング画像を観察する第３の観察者と、前記第３の表示部と、の間の第３の距離を推定し、
前記倍率設定部は、少なくとも、前記表示情報取得部で取得された前記第３の表示情報と、前記距離推定部で推定された前記第３の距離と、に基づいて、前記画像データから前記第３のスケーリング画像データを生成するときの前記スケーリング処理で使用されるスケーリング倍率を設定する
ことを特徴とする画像処理装置。
【請求項１４】
請求項１２に記載の画像処理装置において、さらに、
第３のスケーリング画像データに基づいて第３のスケーリング画像を表示する、前記第１の表示部よりも大きな第３の表示部を備え、
前記倍率設定部は、前記第３のスケーリング画像データを生成するときの前記スケーリング処理で使用されるスケーリング倍率を、前記第１のスケーリング画像データを生成するときの前記スケーリング処理で使用される前記スケーリング倍率よりも低い倍率に設定する
ことを特徴とする画像処理装置。
【請求項１５】
画像データを処理するプロセッサを備える画像処理装置であって、
前記プロセッサは、
第１のスケーリング画像データに基づいて第１のスケーリング画像を表示する第１の表示部に関する第１の表示情報を取得し、
前記第１の表示部に表示された前記第１のスケーリング画像を観察する第１の観察者と、前記第１の表示部と、の間の第１の距離を推定し、
少なくとも、前記第１の表示情報と、前記第１の距離と、に基づいて、画像データから前記第１のスケーリング画像データを生成するときのスケーリング処理で使用されるスケーリング倍率を設定する
ことを特徴とする画像処理装置。
【請求項１６】
第１のスケーリング画像データに基づいて第１のスケーリング画像を表示する第１の表示部に関する第１の表示情報を取得し、
前記第１の表示部に表示された前記第１のスケーリング画像を観察する第１の観察者と前記第１の表示部との間の第１の距離を推定し、
少なくとも、前記第１の表示情報と、前記第１の距離と、に基づいて、画像データから前記第１のスケーリング画像データを生成するときのスケーリング処理で使用されるスケーリング倍率を設定する
処理をコンピュータが実行することを特徴とする画像処理方法。
【請求項１７】
第１のスケーリング画像データに基づいて第１のスケーリング画像を表示する第１の表示部に関する第１の表示情報を取得し、
前記第１の表示部に表示された前記第１のスケーリング画像を観察する第１の観察者と前記第１の表示部との間の第１の距離を推定し、
少なくとも、前記第１の表示情報と、前記第１の距離と、に基づいて、画像データから前記第１のスケーリング画像データを生成するときのスケーリング処理で使用されるスケーリング倍率を設定する
処理をコンピュータに実行させるためのプログラムを記録したコンピュータ読取可能な記録媒体。
【請求項１８】
第１のスケーリング画像データに基づいて第１のスケーリング画像を表示する第１の表示部に関する第１の表示情報を取得し、
前記第１の表示部に表示された前記第１のスケーリング画像を観察する第１の観察者と前記第１の表示部との間の第１の距離を推定し、
少なくとも、前記第１の表示情報と、前記第１の距離と、に基づいて、画像データから前記第１のスケーリング画像データを生成するときのスケーリング処理で使用されるスケーリング倍率を設定する
処理をコンピュータに実行させることを特徴とするプログラム。
【発明の詳細な説明】
【技術分野】
【０００１】
本発明は、画像処理装置、画像処理方法、記録媒体、及び、プログラムに関する。
【背景技術】
【０００２】
デジタルスチルカメラ、デジタルビデオカメラなどで取得される画像データはデジタルデータであるため、様々なデジタル画像処理を容易に適用可能である。このため、撮影者は、デジタル画像処理を用いることで、様々な作風の画像を容易に得ることが可能である。
【０００３】
デジタル画像処理には様々なものがある。一例としては、画像データに敢えてノイズを付加することで、フィルムカメラでの撮影により得られた画像の質感を再現する技術が知られている。このような技術は、例えば、特許文献１に記載されている。
【先行技術文献】
【特許文献】
【０００４】
【特許文献１】特開２００７−２５１３１９号公報
【発明の概要】
【発明が解決しようとする課題】
【０００５】
ところで、撮影者の望む質感の画像が得られた否かの確認は、スケーリング倍率を調整し、調整されたスケーリング倍率で表示された画像を見ながら行われる。これは、観察者が見る画像の見え方を再現するためである。しかしながら、スケーリング倍率を調整して画像を適切な倍率で表示することは必ずしも容易な作業ではない。
【０００６】
以上のような実情を踏まえ、本発明の一側面に係る目的は、スケーリング倍率を適切に設定する技術を提供することである。
【課題を解決するための手段】
【０００７】
本発明の一態様に係る画像処理装置は、第１のスケーリング画像データに基づいて第１のスケーリング画像を表示する第１の表示部に関する第１の表示情報を取得する表示情報取得部と、前記第１の表示部に表示された前記第１のスケーリング画像を観察する第１の観察者と前記第１の表示部との間の第１の距離を推定する距離推定部と、少なくとも、前記表示情報取得部で取得された前記第１の表示情報と、前記距離推定部で推定された前記第１の距離と、に基づいて、画像データから前記第１のスケーリング画像データを生成するスケーリング処理で使用されるスケーリング倍率を設定する倍率設定部と、を備える。
【０００８】
本発明の別の態様に係る画像処理装置は、画像データを処理するプロセッサを備える画像処理装置であって、前記プロセッサは、第１のスケーリング画像データに基づいて第１のスケーリング画像を表示する第１の表示部に関する第１の表示情報を取得し、前記第１の表示部に表示された前記第１のスケーリング画像を観察する第１の観察者と前記第１の表示部との間の第１の距離を推定し、少なくとも、前記第１の表示情報と、前記第１の距離と、に基づいて、画像データから前記第１のスケーリング画像データを生成するスケーリング処理で使用されるスケーリング倍率を設定する。
【０００９】
本発明の一態様に係る画像処理方法は、第１のスケーリング画像データに基づいて第１のスケーリング画像を表示する第１の表示部に関する第１の表示情報を取得し、前記第１の表示部に表示された前記第１のスケーリング画像を観察する第１の観察者と前記第１の表示部との間の第１の距離を推定し、少なくとも、前記第１の表示情報と、前記第１の距離と、に基づいて、画像データから前記第１のスケーリング画像データを生成するスケーリング処理で使用されるスケーリング倍率を設定する処理をコンピュータが実行する方法である。
【００１０】
本発明の一態様に係る記録媒体は、第１のスケーリング画像データに基づいて第１のスケーリング画像を表示する第１の表示部に関する第１の表示情報を取得し、前記第１の表示部に表示された前記第１のスケーリング画像を観察する第１の観察者と前記第１の表示部との間の第１の距離を推定し、少なくとも、前記第１の表示情報と、前記第１の距離と、に基づいて、画像データから前記第１のスケーリング画像データを生成するスケーリング処理で使用されるスケーリング倍率を設定する処理をコンピュータに実行させるためのプログラムを記録したコンピュータ読取可能な記録媒体である。
【００１１】
本発明の一態様に係るプログラムは、第１のスケーリング画像データに基づいて第１のスケーリング画像を表示する第１の表示部に関する第１の表示情報を取得し、前記第１の表示部に表示された前記第１のスケーリング画像を観察する第１の観察者と前記第１の表示部との間の第１の距離を推定し、少なくとも、前記第１の表示情報と、前記第１の距離と、に基づいて、画像データから前記第１のスケーリング画像データを生成するスケーリング処理で使用されるスケーリング倍率を設定する処理をコンピュータに実行させるプログラムである。
【発明の効果】
【００１２】
上記の態様によれば、スケーリング倍率を適切に設定することができる。
【図面の簡単な説明】
【００１３】
【図１】画像処理装置１０の物理構成を示す図である。
【図２】画像処理装置１０の機能構成を示す図である。
【図３】ノイズ付加方法について説明するための図である。
【図４】ライブビュー表示処理のフローチャートの一例である。
【図５】拡大設定処理のフローチャートの一例である。
【図６】スケーリング倍率の決定方法について説明するための図である。
【図７】スケーリング倍率の決定方法について説明するための別の図である。
【図８】拡大設定処理のフローチャートの別の例である。
【図９】階調変換特性を示した図である。
【図１０】拡大設定処理のフローチャートの更に別の例である。
【図１１】画像表示パターンの一例について説明するための図である。
【図１２】画像表示パターンの別の例について説明するための図である。
【図１３】画像表示パターンの更に別の例について説明するための図である。
【図１４】画像表示パターンの更に別の例について説明するための図である。
【図１５】画像表示パターンの更に別の例について説明するための図である。
【図１６】画像再生処理のフローチャートの一例である。
【発明を実施するための形態】
【００１４】
図１は、画像処理装置１０の物理構成を示す図である。画像処理装置１０は、例えば、デジタルスチルカメラ、デジタルビデオカメラなどであり、図１に示すように、撮影装置１１と、入力装置１２と、表示装置１３と、マイクロコンピュータ１４と、画像処理プロセッサ１５と、メモリ１６と、外部記憶装置１７を備えている。
【００１５】
撮影装置１１は、イメージセンサと、イメージセンサに被写体の像を投影する光学系を備えている。撮影装置１１は、さらに、メカニカルシャッターを備えてもよい。また、撮影装置１１は、メカニカルシャッターを備えることなく、イメージセンサを制御する電子シャッター方式でシャッター機能を実現してもよい。
【００１６】
光学系は、固定式の光学系であっても、交換式の光学系であってもよい。イメージセンサは、例えば、ＣＣＤ（Charge Coupled Device）イメージセンサ、ＣＭＯＳ（Complementary Metal Oxide Semiconductor）イメージセンサなどである。イメージセンサは、Ａ／Ｄ変換器を含み、受光素子から出力されたアナログ信号をデジタル信号に変換して出力する。以降では、撮影装置１１から出力されるデジタル信号をＲＡＷデータと記し、後述する画像データ及びスケーリング画像データと区別する。
【００１７】
画像処理装置１０は、複数の撮影装置１１を備えてもよい。画像処理装置１０は、例えば、被写体を撮影するための第１の撮影装置に加えて、撮影者を撮影するための第２の撮影装置を備えてもよい。
【００１８】
入力装置１２は、例えば、デジタルカメラに設けられたタッチパネル、各種の入力釦などである。入力釦は、電源釦、レリーズ釦、動画釦、再生釦、メニュー釦、十字釦、ＯＫ釦、などを含んでいる。入力装置１２は、画像処理装置１０の利用者の操作を受け付けて、操作に応じた信号を出力する。
【００１９】
表示装置１３は、例えば、デジタルカメラの背面に設けられた表示パネル、電子ビューファインダ（以降、ＥＶＦと記す）などである。表示パネル及びＥＶＦは、液晶ディスプレイであってもよく、有機ＥＬディスプレイであってもよい。表示装置１３は、例えば、撮影装置１１で撮影した被写体の画像、及び、各種の画面を表示する。
【００２０】
マイクロコンピュータ１４は、プロセッサとメモリと含み、例えば、それらを１つのチップ上に集積した電気回路である。マイクロコンピュータ１４は、画像処理装置１０全体の動作を制御する。即ち、マイクロコンピュータ１４を含む画像処理装置１０は、コンピュータの一例である。
【００２１】
画像処理プロセッサ１５は、画像信号の処理に適した構成を有する電気回路である。画像処理プロセッサ１５は、撮影装置１１から出力されたＲＡＷデータを処理する。
【００２２】
メモリ１６は、例えば、揮発性のメモリと、不揮発性のメモリと、を含んでいる。揮発性のメモリは、例えば、ＲＡＭ（Random Access Memory）である。不揮発性のメモリは、例えば、ＲＯＭ（Read-Only Memory）、フラッシュメモリなどである。メモリ１６は、プログラム、及び、プログラムの実行に必要なデータ、ＲＡＷデータ、及び、画像データなどを記憶する。
外部記憶装置１７は、例えば、画像処理装置１０に着脱自在な、ＳＤカードなどのメモリカードである。外部記憶装置１７は、主に、画像データを記憶する。メモリ１６及び外部記憶装置１７は、プログラムを格納するコンピュータ読み取り可能な記録媒体の一例であり、物理的な（非一時的な）記録媒体である。
【００２３】
図２は、画像処理装置１０の機能構成を示す図である。図３は、ノイズ付加方法について説明するための図である。図１に示す物理構成を有する画像処理装置１０は、図２に示すような機能構成を有している。即ち、画像処理装置１０は、画像処理部２０と、制御部３０と、撮像部４０と、操作部５０、表示部６０を備えている。撮像部４０、操作部５０、表示部６０は、それぞれ、図１に示す、撮影装置１１、入力装置１２、表示装置１３に対応する。
【００２４】
画像処理部２０は、例えば、画像処理プロセッサ１５が行うハードウェア処理により実現する機能構成である。画像処理部２０は、ソフトウェア処理、つまり、画像処理プロセッサ１５がプログラムを実行することで実現されてもよい。
【００２５】
画像処理部２０は、ＲＡＷデータから画像データ及びスケーリング画像データを生成する。画像データ及びスケーリング画像データについては後述する。画像処理部２０は、図２に示すように、画像現像部２１と、スケーリング部２３を備えている。画像処理部２０は、さらに、ノイズ付加部２２を備えてもよい。
【００２６】
画像現像部２１は、撮像部４０から出力されたＲＡＷデータから画像データを生成する。画像現像部２１が生成する画像データは、例えば、ＲＧＢ形式の画像データ、ＹＩＱ（ＹＵＶ）形式の画像データなどであってもよい。また、モノクロ画像の画像データであってもよい。
【００２７】
画像現像部２１は、具体的には、ＲＡＷデータに対して、オプティカルブラック（ＯＢ）減算処理、ホワイトバランス（ＷＢ）補正、同時化処理、色補正処理、ガンマ補正処理、ノイズリダクション（ＮＲ）処理等を行う。
【００２８】
ノイズ付加部２２は、画像現像部２１が生成した画像データに、後述するノイズ強度設定部３６が設定したノイズ強度に応じた量のノイズを付加し、ノイズが付加された画像データを生成する。ノイズの付加は、利用者が操作部５０を用いて特殊画像処理の一種であるノイズ付加処理を設定している場合に行われる。
【００２９】
ノイズ付加部２２は、例えば、図３に示すように、画像現像部２１で生成された画像Ｄ１を表す画像データと、予めメモリ１６に記憶されているノイズ成分画像Ｄ２を表すノイズパターンデータを合成することで、ノイズが付加された画像Ｄ３を表す画像データを生成してもよい。より具体的には、ノイズ強度設定部３６で設定されたノイズ強度に応じたブレンド率で画像データとノイズパターンデータをブレンドすることで、ノイズが付加された画像Ｄ３を表す画像データを生成してもよい。この場合、ノイズの付加量は、ノイズ成分画像Ｄ２を表すノイズパターンデータと、ノイズ強度設定部３６で設定されたノイズ強度に応じたブレンド率と、により決定される。
【００３０】
なお、画像を合成する方法は特に限定しない。例えばαブレンドなどの任意の方法が採用され得る。また、ノイズ付加部２２は、ノイズの分散及び／又は振幅の異なる複数のノイズパターンデータを用意し、それらのノイズパターンデータから選択したノイズパターンデータを使用してもよい。さらに、ノイズ付加部２２は、予め用意したノイズパターンデータを使用する代わりに、乱数を用いて生成したノイズパターンデータを使用してもよい。
【００３１】
スケーリング部２３は、画像データにスケーリング処理を行って、スケーリング画像データを生成する。スケーリング処理とは、画像を拡大又は縮小する処理のことであり、バイリニア法、バイキュービック法などを採用し得る。また、スケーリング画像データとは、スケーリング処理で生成された拡大または縮小された画像の画像データのことである。
【００３２】
スケーリング部２３は、指定されたスケーリング倍率を使用してスケーリング処理を行う。スケーリング倍率とは、スケーリング画像を表示する表示部が有する表示領域の大きさを基準とした倍率である。スケーリング倍率が１倍とは、例えば、スケーリング処理前の画像を、表示領域内に収まる最大の大きさのスケーリング画像へ拡大又は縮小する倍率と定義される。なお、スケーリング画像を表示する表示部は、画像処理装置１０の表示部６０であってもよく、画像処理装置１０とは異なる装置の表示部であってもよい。
【００３３】
制御部３０は、マイクロコンピュータ１４がプログラムを実行することにより実現する機能構成である。プログラムは、マイクロコンピュータ１４内のメモリに記憶されていてもよく、メモリ１６に記憶されていてもよい。
【００３４】
制御部３０は、スケーリング処理で使用されるスケーリング倍率を設定する。制御部３０は、図２に示すように、表示情報取得部３３と、距離推定部３４と、倍率設定部３５を備えている。制御部３０は、さらに、輝度算出部３１と、ノイズ量推定部３２と、ノイズ強度設定部３６を備えてもよい。
【００３５】
以降では、画像の質感を確認するために表示するスケーリング画像を第１のスケーリング画像と記し、第１のスケーリング画像を表示する表示部を第１の表示部と記し、第１のスケーリング画像の確認者を第１の観察者と記す。また、画像を観賞用のために表示部に表示するスケーリング画像を第２のスケーリング画像と記し、第２のスケーリング画像を表示する表示部を第２の表示部と記し、第２のスケーリング画像の観賞者を第２の観察者と記す。なお、第１の表示部と第２の表示部は同じであっても異なっていてもよい。また、第１の観察者と第２の観察者は同じであっても異なっていてもよい。なお、画像は、例えば、撮影装置１１で撮影した被写体の画像であるが、撮影装置１１以外の装置で撮影した被写体の画像であってもよい。
【００３６】
輝度算出部３１は、画像データの少なくとも一部に基づいて、画像データを代表する代表輝度を算出する。画像データは、画像現像部２１から輝度算出部３１へ入力される。ここで、画像データの少なくとも一部は、画像データの全部であってもよい。また、画像データの少なくとも一部は、例えば、画像の中心を含む予め決めた領域に対応するデータであってもよい。代表輝度は、画像データがＲＧＢ形式の画像データである場合であれば、画像データの少なくとも一部から算出されるＧ値の算術平均値であってもよい。
【００３７】
ノイズ量推定部３２は、画像データに含まれるノイズ量を推定する。ノイズ量推定部３２は、例えば、撮像部４０の感度設定に基づいて、ノイズ量を推定してもよい。撮像部４０の感度設定は、例えば、ＩＳＯ感度の設定である。ノイズ量推定部３２は、ＩＳＯ感度が高く設定されているほど、大きなノイズ量を推定してもよい。また、ノイズ量推定部３２は、例えば、輝度算出部３１で算出した代表輝度に基づいてノイズ量を推定してもよい。ノイズ量推定部３２は、代表輝度が低いほど、大きなノイズ量を推定してもよい。また、ノイズ量推定部３２は、例えば、ノイズ付加部２２が付加したノイズの付加量に基づいて、ノイズ量を推定してもよい。ノイズ量推定部３２は、付加量が大きいほど、大きなノイズ量を推定してもよい。ノイズ量推定部３２は、撮像部４０の感度設定と、代表輝度と、ノイズの付加量、の少なくとも１つに基づいて、ノイズ量を推定してもよい。
【００３８】
表示情報取得部３３は、スケーリング画像を表示する表示部に関する表示情報を取得する。表示情報取得部３３は、少なくとも第１の表示部に関する第１の表示情報を取得する。表示情報取得部３３は、第１の表示情報に加えて、第２の表示部に関する第２の表示情報を取得してもよい。
【００３９】
第１の表示情報は、第１の表示部が有する表示領域の大きさ、画素数、アスペクト比、解像度（ppi）などを含んでいる。また、第２の表示情報は、第２の表示部が有する表示領域の大きさ、画素数、アスペクト比、解像度などを含んでいる。
【００４０】
画像処理装置１０が第１の表示部に接続されている場合には、表示情報取得部３３は、第１の表示情報を第１の表示部から取得してもよい。画像処理装置１０が第２の表示部に接続されている場合には、表示情報取得部３３は、第２の表示情報を第２の表示部から取得してもよい。また、第１の表示情報及び第２の表示情報は、第１の観察者が操作部５０を用いて入力してもよく、その場合、表示情報取得部３３は、第１の表示情報及び第２の表示情報を操作部５０から取得してもよい。また、第１の表示情報及び第２の表示情報は、メモリ１６に予め記憶されていてもよく、その場合、表示情報取得部３３は、第１の表示情報及び第２の表示情報をメモリ１６から取得してもよい。
【００４１】
距離推定部３４は、スケーリング画像を観察する観察者とスケーリング画像を表示する表示部との間の距離を推定する。距離推定部３４は、少なくとも、第１の距離を推定する。第１の距離は、第１の表示部に表示された第１のスケーリング画像を観察する第１の観察者と第１の表示部との間の距離である。距離推定部３４は、第１の距離に加えて、第２の距離を推定してもよい。第２の距離は、第２の表示部に表示された第２のスケーリング画像を観察する第２の観察者と第２の表示部との間の距離である。
【００４２】
画像処理装置１０が第１の表示部に接続されていて、第１の表示部が推奨視聴距離の情報を記憶している場合には、距離推定部３４は、推奨視聴距離の情報を第１の表示部から取得して、推奨視聴距離の情報から第１の距離を推定しても良い。画像処理装置１０が第２の表示部に接続されていて、第２の表示部が推奨視聴距離の情報を記憶している場合には、距離推定部３４は、推奨視聴距離の情報を第２の表示部から取得して、推奨視聴距離の情報から第２の距離を推定しても良い。また、距離推定部３４は、第１の観察者が操作部５０を用いて入力した情報から、第１の距離と第２の距離を推定してもよい。また、第１の距離と第２の距離は、メモリ１６に予め記憶されていてもよい。その場合、距離推定部３４は、第１の距離と第２の距離をメモリ１６から取得してもよい。メモリ１６には、例えば、第１の表示部が画像処理装置１０の背面に設けられた表示パネルであれば第１の距離は50cm、第１の表示部が画像処理装置１０のＥＶＦであれば第１の距離は2cmといった形式で、第１の表示部となる装置毎に第１の距離が記憶されていてもよい。
【００４３】
また、距離推定部３４は、表示情報取得部３３で取得された第１の表示情報に基づいて第１の距離を推定してもよい。例えば、第１の表示情報に含まれる表示領域の大きさと解像度に基づいて、第１の距離を推定してもよい。この場合、距離推定部３４は、第１の表示情報に含まれる表示領域の大きさが小さいほど、第１の観察者は画像をより近くで観察すると推定し、結果として、第１の距離を短く推定してもよい。また、距離推定部３４は、第１の表示情報に含まれる解像度が高いほど、第１の観察者は画像をより近くで観察すると推定し、結果として、第１の距離を短く推定してもよい。例えば、ＦＨＤ（フルハイビジョン）対応の表示装置の推奨視聴距離は、一般に、表示領域の高さの３倍とされ、４Ｋ対応の表示装置の推奨視聴距離は、一般に、表示領域の高さの１．５倍とされている。表示領域の高さは、表示領域の大きさやアスペクト比などの情報から算出される。このため、上記の関係を用いて推奨視聴距離を算出し、推奨視聴距離を第１の距離として推定してもよい。なお、距離推定部３４は、第２の距離についても、表示情報取得部３３で取得された第２の表示情報に基づいて推定してもよい。
【００４４】
また、距離推定部３４は、ノイズ量推定部３２で推定されたノイズ量に基づいて第１の距離を調整してもよい。例えば、ノイズ量推定部３２で推定されたノイズ量が小さいほど、第１の観察者は画像をより近くで観察すると推定し、結果として、第１の距離を短く推定してもよい。なお、距離推定部３４は、第２の距離についても、ノイズ量推定部３２で推定されたノイズ量に基づいて調整してもよい。
【００４５】
さらに、距離推定部３４は、撮像部４０が撮影した第１の観察者の画像に基づいて第１の距離を推定しても良い。距離推定部３４は、例えば、第１の観察者の画像に含まる顔の大きさと撮像部４０の画角から第１の距離を推定しても良い。また、第１の観察者の複数のステレオ画像から第１の距離を推定しても良い。また、画像処理装置１０が撮像部４０以外の測距装置を備えている場合には、距離推定部３４は、測距装置からの出力に基づいて第１の距離を推定しても良い。測距装置は特に限定しないが、例えば、超音波やレーザなどを用いたレーダであってもよい。
【００４６】
倍率設定部３５は、スケーリング処理で使用されるスケーリング倍率を設定する。倍率設定部３５は、第１の観察者が第１のスケーリング画像を見たときに、第２の観察者が第２のスケーリング画像を見たときの見え方が再現されるように、スケーリング倍率を算出し、設定する。
【００４７】
倍率設定部３５は、少なくとも、表示情報取得部３３で取得された第１の表示情報と、距離推定部３４で推定された第１の距離と、に基づいて、第１のスケーリング画像データを生成するスケーリング処理で使用されるスケーリング倍率を設定する。倍率設定部３５は、第１の表示情報と第１の距離に加えて、表示情報取得部３３で取得された第２の表示情報と距離推定部３４で推定された第２の距離を用いて、第１のスケーリング画像データを生成するスケーリング処理で使用されるスケーリング倍率を設定してもよい。
【００４８】
ノイズ強度設定部３６は、画像データに付加するノイズの強度をノイズ強度として設定する。ノイズ強度設定部３６は、例えば、第１の観察者が操作部５０を用いて指定した強度をノイズ強度に設定する。
【００４９】
以上のように構成された画像処理装置１０は、撮影装置１１で撮影した被写体の画像の質感を確認するために、画像を適切な倍率でスケーリングして表示することができる。
【００５０】
図４は、ライブビュー表示処理のフローチャートの一例である。図５は、拡大設定処理のフローチャートの一例である。図６は、スケーリング倍率の決定方法について説明するための図である。図７は、スケーリング倍率の決定方法について説明するための図である。以下、図４から図７を参照しながら、ライブビュー表示処理中に、画像処理装置１０の表示パネル１３ａ（図６参照）に画像を拡大表示することで、観賞用に表示装置７０に表示される画像の質感を再現して確認する場合を例に、画像処理装置１０の動作を具体的に説明する。
【００５１】
ライブビュー表示処理は、画像処理装置１０が行う画像処理方法の一例である。ライブビュー表示処理が開始されると、画像処理装置１０は、まず、撮影現像処理を行う（ステップＳ１０）。ここでは、撮影装置１１が被写体の画像を撮影し、画像処理プロセッサ１５が撮影装置１１から出力されたＲＡＷデータを処理して画像データを生成する。
【００５２】
次に、画像処理装置１０は、ノイズ付加処理を行う（ステップＳ２０）。ここでは、ノイズ付加部２２がノイズ強度設定部３６で設定されたノイズ強度に応じた量のノイズを画像データに付加し、ノイズが付加された画像データを生成する。
【００５３】
その後、画像処理装置１０は、画像の質感を確認するための確認表示が要求されたか否かを判定する（ステップＳ３０）。ここでは、画像処理装置１０は、例えば、操作部５０に対する所定の操作の有無に基づいて、確認表示が要求されたか否かを判定する。
【００５４】
確認表示が要求されていないと判定すると、画像処理装置１０は、ステップＳ２０で生成された画像データに基づいてライブ画像を表示パネル１３ａに表示し（ステップＳ６０）、ライブビュー表示の終了が指示されるまで（ステップＳ７０ＹＥＳ）、ステップＳ１０からステップＳ７０の処理を繰り返す。
【００５５】
確認表示が要求されたと判定すると、画像処理装置１０は、図５に示す拡大設定処理を行う（ステップＳ４０）。ステップＳ４０では、まず、表示情報取得部３３が表示情報を取得する（ステップＳ４１）。より具体的には、表示情報取得部３３は、第１の表示情報と第２の表示情報を取得する。この例では、第１の表示情報には、表示パネル１３ａの大きさが３型であり、且つ、アスペクト比が１６：９であることを示す情報が含まれている。また、第２の表示情報には、例えば、鑑賞時に用いられる表示装置７０の大きさが２４型であり、且つ、アスペクト比が１６：９であることを示す情報が含まれている。
【００５６】
表示情報を取得すると、距離推定部３４が表示部と観察者の間の距離を推定する（ステップＳ４２）。より具体的には、距離推定部３４は、第１の距離と第２の距離を推定する。この例では、距離推定部３４は、図６に示すように、撮影者Ｐ１と画像処理装置１０の表示パネル１３ａとの間の第１の距離を、予めメモリ１６に記憶された距離Ｌ１と推定する。また、距離推定部３４は、図６に示すように、鑑賞者Ｐ２と表示装置７０との間の第２の距離を、予めメモリ１６に記憶された距離Ｌ２と推定する。
【００５７】
表示情報の取得と距離の推定が終了すると、倍率設定部３５は、画像の質感を確認するために表示パネル１３ａに表示する画像Ｄ４のスケーリング倍率を設定する（ステップＳ４３）。より具体的には、倍率設定部３５は、第１の表示情報及び第２の表示情報と、第１の距離及び第２の距離と、に基づいて、スケーリング倍率を設定する。スケーリング倍率の決定方法は、例えば、以下のとおりである。
【００５８】
まず、鑑賞時に表示装置７０に表示される画像Ｄ５に写っている被写体を、表示パネル１３ａに同じサイズで表示するためのスケーリング倍率（以降、暫定スケーリング倍率と記す）を算出する。画像Ｄ５が図６に示すようにスケーリング倍率１倍で表示装置７０に表示されていると仮定すると、暫定スケーリング倍率は、（表示装置７０の大きさ＝２４型）／（表示パネル１３ａの大きさ＝３型）＝８倍と算出される。
【００５９】
次に、第１の距離と第２の距離の違いを考慮して暫定スケーリング倍率を調整して、画像の質感を確認するために表示パネル１３ａに表示する画像Ｄ４のスケーリング倍率を決定する。具体的には、例えば、第１の距離と第２の距離に基づいて調整係数を算出し、暫定スケーリング倍率に調整係数を乗じて、最終的なスケーリング倍率を決定してもよい。調整係数は、第２の距離に対して第１の距離が長ければ倍率を上げる方向に作用し、第２の距離に対して第１の距離が短ければ倍率を下げる方向に作用するものであればよく、例えば、（第１の距離）／（第２の距離）であってもよい。
【００６０】
図６に示すように、第１の距離と第２の距離が同じであれば、調整係数は、（第１の距離＝Ｌ１）／（第２の距離＝Ｌ２）＝１であり、画像Ｄ４のスケーリング倍率は、暫定スケーリング倍率と同じ８倍に決定される。
【００６１】
これに対して、図７に示すように、第１の距離と第２の距離が異なる場合には、調整係数が１以外の値となり、表示パネル１３ａに表示される画像Ｄ６のスケーリング倍率は８倍以外の倍率へ調整される。例えば、第１の距離＝Ｌ３＝Ｌ１／２であり、第２の距離＝Ｌ２＝Ｌ１の場合には、調整係数は、（第１の距離＝Ｌ３）／（第２の距離＝Ｌ２）＝１／２であり、画像Ｄ６のスケーリング倍率は、暫定スケーリング倍率の半分である４倍に決定される。
【００６２】
図５に示す拡大設定処理が終了すると、画像処理装置１０は、スケーリング処理を行う（ステップＳ５０）。ここでは、スケーリング部２３がステップＳ４０で設定されたスケーリング倍率を使用して画像データにスケーリング処理を行うことで、スケーリング画像データを生成する。この例では、スケーリング部２３は、８倍のスケーリング倍率を有する画像Ｄ４を表す、スケーリング画像データを生成する。
【００６３】
その後、画像処理装置１０は、ステップＳ５０で生成されたスケーリング画像データに基づいて画像Ｄ４を表示パネル１３ａに表示し（ステップＳ６０）、ライブビュー表示の終了が指示されるまで（ステップＳ７０ＹＥＳ）、ステップＳ１０からステップＳ７０の処理を繰り返す。
【００６４】
以上のように、画像処理装置１０では、撮影者Ｐ１が確認表示を要求するだけで、適切なスケーリング倍率を設定することができる。これにより、図６に示すように、適切なスケーリング倍率で画像Ｄ４が表示パネル１３ａに表示され、鑑賞時に表示装置７０に表示される画像Ｄ５の質感が再現される。従って、画像処理装置１０によれば、撮影者Ｐ１は、鑑賞時における画像Ｄ５の質感を、撮影時に容易に確認することができる。
【００６５】
図８は、拡大設定処理のフローチャートの別の例である。図９は、階調変換特性を示した図である。画像処理装置１０は、図５に示す拡大設定処理の代わりに、図８に示す拡大設定処理を行ってもよい。
【００６６】
図８に示す拡大設定処理では、まず、表示情報取得部３３が表示情報を取得し（ステップＳ８１）、距離推定部３４が表示部と観察者の間の距離を推定する（ステップＳ８２）。ステップＳ８１とステップＳ８２の処理は、図５に示すステップＳ４１とステップＳ４２の処理と同じである。
【００６７】
その後、ノイズ量推定部３２がノイズ量を推定する（ステップＳ８３）。この例では、ノイズ量推定部３２は、輝度算出部３１が画像データから算出した代表輝度と、ステップＳ１０の撮影現像処理で使用した階調変換特性と、に基づいて、ノイズ量を推定する。
【００６８】
図９に示す曲線Ｃは、ステップＳ１０で行われるガンマ補正処理において使用された階調変換特性を示している。曲線Ｃは、画像データの輝度が低い領域ほど急な傾斜（傾斜Ｔ１＞傾斜Ｔ２）を有し、画像データの輝度の高い領域ほど緩やかな傾斜を有している。このことは、輝度の低い画像データほどガンマ補正処理でより大きく増幅されたことを示している。
【００６９】
つまり、画像データの代表輝度が低いほどノイズ成分も大きく増幅されたことが予想される。このため、ノイズ量推定部３２は、代表輝度と階調変換特性に基づいて、代表輝度が低いほど大きなノイズ量を推定する。
【００７０】
ノイズ量が推定されると、倍率設定部３５は、スケーリング倍率を設定し（ステップＳ８４）、拡大設定処理を終了する。より具体的には、倍率設定部３５は、第１の表示情報及び第２の表示情報と、第１の距離及び第２の距離と、ノイズ量と、に基づいて、スケーリング倍率を設定する。なお、ステップＳ８４の処理は、ノイズ量を考慮してスケーリング倍率の決定する点が、ステップＳ４３の処理とは異なっている。スケーリング倍率の決定方法は、例えば、以下のとおりである。
【００７１】
まず、被写体を鑑賞時と同じサイズで表示するための暫定スケーリング倍率を算出する。その後、第１の距離と第２の距離を用いて暫定スケーリング倍率を調整し、スケーリング倍率を算出する。これらの点は、ステップＳ４３において上述した決定方法と同じである。なお、これらの処理により算出されたスケーリング倍率を第２の暫定スケーリング倍率と記す。
【００７２】
その後、ノイズ量に応じて第２の暫定スケーリング倍率を調整する。具体的には、ステップＳ８３で推定されたノイズ量が小さいほどスケーリング倍率が大きくなるように、第２の暫定スケーリング倍率を調整する。つまり、倍率設定部３５は、ノイズ量推定部３２で推定されたノイズ量が小さいほどスケーリング倍率を大きく設定する。
【００７３】
例えば、ノイズ量と閾値の差を規格化することで第２の調整係数を算出し、第２の調整係数を第２の暫定スケーリング倍率に乗じることで最終的なスケーリング倍率を決定してもよい。
【００７４】
画像処理装置１０は、図８に示す拡大設定処理を行った場合であっても、図５に示す拡大設定処理を行った場合と同様に、適切なスケーリング倍率を設定することができる。また、画像処理装置１０は、ノイズ量を考慮してスケーリング倍率を決定することで、より適切なスケーリング倍率を設定することができる。
【００７５】
図１０は、拡大設定処理のフローチャートの更に別の例である。画像処理装置１０は、図８に示す拡大設定処理の代わりに、図１０に示す拡大設定処理を行ってもよい。
【００７６】
図１０に示す拡大設定処理では、まず、表示情報取得部３３が表示情報を取得し（ステップＳ９１）、ノイズ量推定部３２がノイズ量を推定する（ステップＳ９２）。ステップＳ９１の処理は、図８に示すステップＳ８１の処理と同じである。ステップＳ９２の処理は、図８に示すステップＳ８３の処理と同じである。
【００７７】
その後、距離推定部３４が表示部と観察者の間の距離を推定する（ステップＳ９３）。ステップＳ９３の処理は、ステップＳ９２で推定されたノイズ量を考慮して距離を推定する点が、ステップＳ８２の処理とは異なる。具体的には、距離推定部３４は、ノイズ量が少ないほど、第１の距離を短く推定する。また、距離推定部３４は、ノイズ量が少ないほど、第２の距離を短く推定してもよい。
【００７８】
最後に、倍率設定部３５は、スケーリング倍率を設定し（ステップＳ９４）、拡大設定処理を終了する。ステップＳ９４の処理は、表示情報と距離とノイズ量に基づいてスケーリング倍率を決定する代わりに、表示情報と、ノイズ量を考慮して推定された距離と、に基づいてスケーリング倍率を決定する点が、ステップＳ８４の処理とは異なる。
【００７９】
画像処理装置１０は、図１０に示す拡大設定処理を行った場合であっても、図８に示す拡大設定処理を行った場合と同様に、適切なスケーリング倍率を設定することができる。
【００８０】
図１１から図１５のぞれぞれは、画像表示パターンの一例について説明するための図である。以下、図１１から図１５を参照しながら、画像表示の様々なパターンを説明する。
【００８１】
撮影者Ｐ１が表示パネル１３ａに表示した画像で質感を確認する例を示したが、図１１に示すように、撮影者Ｐ１はＥＶＦ１３ｂに表示した画像Ｄ７で質感を確認してもよい。
【００８２】
この場合、表示情報取得部３３は、表示パネル１３ａではなくＥＶＦ１３ｂに関する表示情報を第１の表示情報として取得すればよく、距離推定部３４は、表示パネル１３ａと撮影者Ｐ１との距離ではなくＥＶＦ１３ｂと撮影者Ｐ１との距離Ｌ４を第１の距離として推定すればよい。
【００８３】
表示パネル１３ａとＥＶＦ１３ｂの一方に画像を表示する例を示したが、画像処理装置１０は、表示パネル１３ａとＥＶＦ１３ｂの両方に画像を表示してもよい。
【００８４】
例えば、図１２に示すように、表示パネル１３ａとＥＶＦ１３ｂのそれぞれに質感を確認するのに適切なスケーリング倍率で画像（画像Ｄ４、画像Ｄ７）を表示してもよい。
【００８５】
この場合、表示パネル１３ａとＥＶＦ１３ｂの一方を第１の表示部とし、他方を第３の表示部とすると、第１のスケーリング画像である画像Ｄ４のスケーリング倍率は、少なくとも第１の表示情報と第１の距離とに基づいて設定される。第３のスケーリング画像である画像Ｄ７のスケーリング倍率は、少なくとも第３の表示情報と第３の距離とに基づいて設定される。なお、第３のスケーリング画像とは第３の表示部に表示されたスケーリング画像である。第３の表示情報は、第３の表示部に関する表示情報である。第３の距離は、第３のスケーリング画像を観察する第３の観察者と第３の表示部との間の距離である。
【００８６】
また、例えば、図１３に示すように、表示パネル１３ａとＥＶＦ１３ｂの一方に質感を確認するのに適切なスケーリング倍率で画像（画像Ｄ７）を表示し、他方により小さなスケーリング倍率で画像（画像Ｄ８）を表示してもよい。
【００８７】
この場合、表示パネル１３ａとＥＶＦ１３ｂとを比較してより小さな表示部を第１の表示部とし、より大きな表示部を第３の表示部とすると、第１のスケーリング画像である画像Ｄ７のスケーリング倍率は、少なくとも第１の表示情報と第１の距離とに基づいて設定される。これに対して、第３のスケーリング画像である画像Ｄ８のスケーリング倍率は、画像Ｄ４のスケーリング倍率よりも低い倍率に設定される。これにより、一方の画像で質感を確認しながら、他方の画像で被写体をより広い視野で確認することができる。なお、画像Ｄ８のスケーリング倍率は、１倍又はそれ以下であることが望ましい。スケーリング倍率が１倍以下であれば被写体全体を確認することができるからである。
【００８８】
画像処理装置１０が有する表示部に画像を表示する例を示したが、画像処理装置１０とは異なる装置の表示部に画像を表示してもよい。
【００８９】
例えば、図１４に示すように、表示パネル１３ａとＥＶＦ１３ｂのそれぞれに質感を確認するのに適切なスケーリング倍率で画像（画像Ｄ４、画像Ｄ７）を表示し、さらに、画像処理装置１０に接続された表示装置８０にこれらの画像よりも小さなスケーリング倍率で画像（画像Ｄ９）を表示してもよい。
【００９０】
また、例えば、図１５に示すように、画像処理装置１０に接続された表示装置８０に質感を確認するのに適切なスケーリング倍率で画像（画像Ｄ１０）を表示し、画像処理装置１０の表示部（表示パネル１３ａ）に画像Ｄ１０よりも小さなスケーリング倍率で画像（画像Ｄ８）を表示してもよい。
【００９１】
図１６は、画像再生処理のフローチャートの一例である。図１６を参照しながら、画像再生処理中に画像処理装置１０の表示パネル１３ａに画像を拡大表示することで、表示装置７０に表示される画像の質感を再現して確認する場合を例に、画像処理装置１０の動作を具体的に説明する。
【００９２】
再生表示処理は、画像処理装置１０が行う画像処理方法の一例である。再生表示処理が開始されると、画像処理装置１０は、まず、画像読み出し処理を行う（ステップＳ１１０）。ここでは、画像処理部２０は、既に作成された画像データをメモリ１６又は外部記憶装置１７から読み出す。読み出す画像データは、ノイズが付加された画像データであってもノイズが付加されていない画像データであってもよい。
【００９３】
その後、ステップＳ１２０からステップＳ１６０の処理を行う。なお、ステップＳ１２０からステップＳ１６０の処理は、図４のステップＳ３０からステップＳ７０の処理と同じである。
【００９４】
画像処理装置１０では、既に作成済みの画像を再生表示するときも、利用者は確認表示を要求するだけで、適切なスケーリング倍率を設定することができる。従って、画像処理装置１０によれば、画像処理装置１０の利用者は、鑑賞時における画像の質感を、任意のタイミングで容易に確認することができる。
【００９５】
上述した実施形態は、発明の理解を容易にするための具体例を示したものであり、本発明の実施形態はこれらに限定されるものではない。画像処理装置、画像処理方法、記録媒体、及び、プログラムは、特許請求の範囲の記載を逸脱しない範囲において、さまざまな変形、変更が可能である。
【００９６】
上述した実施形態では、フィルムカメラでの撮影により得られた画像の質感を再現するために、ノイズ付加処理を行う例を示したが、ノイズ付加処理は省略してもよい。また、ノイズ付加処理を現像処理後に行う例を示したが、現像処理の途中でノイズ付加処理を行ってもよい。また、撮影装置１１を備える画像処理装置１０を例示したが、画像処理装置は、撮影装置１１を有しなくてもよく、例えば、プロセッサを備えた標準的なコンピュータであってもよい。また、表示部として液晶ディスプレイや有機ＥＬディスプレイなどのディスプレイを例示したが、表示部は、例えば、紙など印刷媒体であってもよい。その場合、表示情報としては、印刷媒体の大きさ（用紙サイズ）解像度（dpi）などを取得してもよい。
【符号の説明】
【００９７】
１０・・・画像処理装置、１１・・・撮影装置、１２・・・入力装置、１３・・・表示装置、１３ａ・・・表示パネル、１３ｂ・・・ＥＶＦ、１４・・・マイクロコンピュータ、１５・・・画像処理プロセッサ、１６・・・メモリ、１７・・・外部記憶装置、２０・・・画像処理部、２１・・・画像現像部、２２・・・ノイズ付加部、２３・・・スケーリング部、３０・・・制御部、３１・・・輝度算出部、３２・・・ノイズ量推定部、３３・・・表示情報取得部、３４・・・距離推定部、３５・・・倍率設定部、３６・・・ノイズ強度設定部、４０・・・撮像部、５０・・・操作部、６０・・・表示部、７０、８０・・・表示装置
【図１】
2019146051.tif 000003
【図２】
2019146051.tif 000004
【図３】
2019146051.tif 000005
【図４】
2019146051.tif 000006
【図５】
2019146051.tif 000007
【図６】
2019146051.tif 000008
【図７】
2019146051.tif 000009
【図８】
2019146051.tif 000010
【図９】
2019146051.tif 000011
【図１０】
2019146051.tif 000012
【図１１】
2019146051.tif 000013
【図１２】
2019146051.tif 000014
【図１３】
2019146051.tif 000015
【図１４】
2019146051.tif 000016
【図１５】
2019146051.tif 000017
【図１６】
2019146051.tif 000018